(57)【要約】【課題】ネット上のデータを利用して、容易かつ適切に説明情報に含まれる情報を最新の状態に交信して表示することができる情報表示制御装置を実現すること。【解決手段】受信したメールの中に含まれている見出語（以下、適宜「メール見出語」という）が選択されると、選択されたメール見出語が、辞書ＤＢに記憶されていない場合には、メール見出語と、メール見出語に対応する説明情報とを辞書ＤＢに追加記憶し、選択された見出語が、辞書ＤＢに記憶されている場合には、見出語に対応する更新情報を記憶する。【選択図】 図２５
2010009625.tif 000002
【特許請求の範囲】
【請求項１】
見出語と当該見出語の説明情報とを対応づけて記憶する記憶手段と、
選択された見出語に対応する説明情報を前記記憶手段から読み出して表示する制御を行う表示制御手段と、
ネットワークを介して、追加見出語と当該追加見出語の追加説明情報とを含む電子メールを受信するメール受信手段と、
このメール受信手段により受信された電子メールに含まれる追加見出語と追加説明情報とを対応づけて前記記憶手段に追加記憶させる制御を行う追記制御手段と、
を備えることを特徴とする情報表示制御装置。
【請求項２】
前記メール受信手段により受信した電子メールを表示するメール表示手段を更に備え、
前記追記制御手段は、前記メール表示手段により表示された電子メールに含まれる任意の追加見出語が選択されると、当該追加見出語と追加説明情報とを対応付けて前記記憶手段に追加記憶させる制御を行う
ことを特徴とする請求項１に記載の情報表示制御装置。
【請求項３】
見出語と当該見出語の説明情報とを対応づけて記憶する記憶手段と、
選択された見出語に対応する説明情報を前記記憶手段から読み出して表示する制御を行う表示制御手段と、
ネットワークを介して、見出語と当該見出語についての更新情報とを含む電子メールを受信するメール受信手段と、
を備え、
前記表示制御手段は、前記選択された見出語が前記受信された電子メールに含まれる見出語の場合に、当該見出語に対応する説明情報を当該電子メールに含まれる更新情報をもとに更新して表示する制御を行う更新表示制御手段を有する、
ことを特徴とする情報表示制御装置。
【請求項４】
前記メール受信手段により受信した電子メールを表示するメール表示手段と、
このメール表示手段により表示された電子メールに含まれる任意の見出語が選択されると、当該見出語についての更新情報を記憶する更新情報記憶手段と、を更に備え、
前記表示制御手段は、前記選択された見出語についての更新情報が前記更新情報記憶手段に記憶されている場合に、当該見出語に対応する説明情報を当該更新情報をもとに更新して表示する制御を行う
ことを特徴とする請求項３に記載の情報表示制御装置。
【請求項５】
コンピュータに、
見出語と当該見出語の説明情報とを対応づけて記憶する記憶機能と、
選択された見出語に対応する説明情報を前記記憶機能から読み出して表示する制御を行う表示制御機能と、
ネットワークを介して、追加見出語と当該追加見出語の追加説明情報とを含む電子メールを受信するメール受信機能と、
このメール受信機能により受信された電子メールに含まれる追加見出語と追加説明情報とを対応づけて前記記憶機能に追加記憶させる制御を行う追記制御機能と、
を実現させるためのプログラム。
【請求項６】
コンピュータに、
見出語と当該見出語の説明情報とを対応づけて記憶する記憶機能と、
選択された見出語に対応する説明情報を前記記憶機能から読み出して表示する制御を行う表示制御機能と、
ネットワークを介して、見出語と当該見出語についての更新情報とを含む電子メールを受信するメール受信機能と、
を実現させるためのプログラムであって、
前記表示制御機能は、前記見出語選択機能により選択された見出語が前記受信された電子メールに含まれる見出語の場合に、当該見出語に対応する説明情報を当該電子メールに含まれる更新情報をもとに更新して表示する制御を行う更新表示制御機能を有する、
ことを特徴とするプログラム。
【発明の詳細な説明】
【技術分野】
【０００１】
本発明は、通信手段を備え見出語に対応する説明情報を表示する情報表示制御装置に関する。
【背景技術】
【０００２】
従来から、英和辞典や、百科事典等の辞書データベース（以下、適宜データベースを「ＤＢ」という。）を内蔵した電子辞書装置と呼ばれる情報表示制御装置が知られている。辞書ＤＢには、見出語と、当該見出語を説明・解説する説明情報とを対応づけた辞書データが多数蓄積記憶されている。
【０００３】
ここで、記憶されている辞書データに対応づけて、ユーザが文字や図形などを入力することにより、説明情報に情報を追加出来る発明が知られている（例えば、特許文献１参照）。また、ドイツ語辞典や、中国語辞典等のコンテンツを購入し、電子辞書装置にダウンロード（インストール）することにより、同じ電子辞書装置において、新たに利用することが出来るものが知られている。
【先行技術文献】
【特許文献】
【０００４】
【特許文献１】特開２００２−２０７７５４号公報
【発明の開示】
【発明が解決しようとする課題】
【０００５】
ここで、電子辞書装置に内蔵されている辞書ＤＢには、例えば、財務データ等の企業情報や、人口等の統計情報のように、年度毎に内容が変わるものがある。このような辞書ＤＢにおいて、最新のデータを表示させたい場合には、古い辞書ＤＢを削除し、新しい辞書ＤＢを再びインストールする必要があった。
【０００６】
しかし、新しい辞書ＤＢを購入等して、再インストールする作業は非常に煩雑な作業であった。また、辞書ＤＢの説明情報に含まれるデータは、例えば言葉の意味内容のような普遍的な情報が多く含まれており、更には、例えば企業名、企業の住所又は都市の面積等のように、更新の頻度が極めて低いデータもある。従って、辞書ＤＢに含まれる説明情報の一部分だけを更新することができれば最も効率が良いが、従来の更新方法では辞書ＤＢ全体を入れ替える必要があり、極めて効率が悪い方法となっていた。
【０００７】
また、近年では、インターネットに接続されたサーバが提供するホームページには、各種データが最新の状態で公開されている場合がある。
【０００８】
そこで、本発明は以上の課題に鑑みてなされたものであり、ネット上のデータを利用して、容易かつ適切に説明情報に含まれる情報を最新の状態に更新して表示することができる情報表示制御装置を実現することを目的とする。
【課題を解決するための手段】
【０００９】
以上の課題を解決するため、請求項１に記載の情報表示制御装置は、見出語と当該見出語の説明情報とを対応づけて記憶する記憶手段と、選択された見出語に対応する説明情報を前記記憶手段から読み出して表示する制御を行う表示制御手段と、ネットワークを介して、追加見出語と当該追加見出語の追加説明情報とを含む電子メールを受信するメール受信手段と、このメール受信手段により受信された電子メールに含まれる追加見出語と追加説明情報とを対応づけて前記記憶手段に追加記憶させる制御を行う追記制御手段と、を備えることを特徴とする。
【００１０】
請求項２に記載の情報表示制御装置は、請求項１に記載の情報表示制御であって、前記メール受信手段により受信した電子メールを表示するメール表示手段を更に備え、前記追記制御手段は、前記メール表示手段により表示された電子メールに含まれる任意の追加見出語が選択されると、当該追加見出語と追加説明情報とを対応付けて前記記憶手段に追加記憶させる制御を行うことを特徴とする。
【００１１】
請求項３に記載の情報表示制御装置は、見出語と当該見出語の説明情報とを対応づけて記憶する記憶手段と、選択された見出語に対応する説明情報を前記記憶手段から読み出して表示する制御を行う表示制御手段と、ネットワークを介して、見出語と当該見出語についての更新情報とを含む電子メールを受信するメール受信手段と、を備え、前記表示制御手段は、前記選択された見出語が前記受信された電子メールに含まれる見出語の場合に、当該見出語に対応する説明情報を当該電子メールに含まれる更新情報をもとに更新して表示する制御を行う更新表示制御手段を有する、ことを特徴とする。
【００１２】
請求項４に記載の情報表示制御装置は、請求項３に記載の情報表示制御であって、前記メール受信手段により受信した電子メールを表示するメール表示手段と、このメール表示手段により表示された電子メールに含まれる任意の見出語が選択されると、当該見出語についての更新情報を記憶する更新情報記憶手段と、を更に備え、前記表示制御手段は、前記選択された見出語についての更新情報が前記更新情報記憶手段に記憶されている場合に、当該見出語に対応する説明情報を当該更新情報をもとに更新して表示する制御を行うことを特徴とする。
【００１３】
請求項５に記載のプログラムは、コンピュータに、見出語と当該見出語の説明情報とを対応づけて記憶する記憶機能と、選択された見出語に対応する説明情報を前記記憶機能から読み出して表示する制御を行う表示制御機能と、ネットワークを介して、追加見出語と当該追加見出語の追加説明情報とを含む電子メールを受信するメール受信機能と、このメール受信機能により受信された電子メールに含まれる追加見出語と追加説明情報とを対応づけて前記記憶機能に追加記憶させる制御を行う追記制御機能と、を実現させるためのプログラムであることを特徴とする。
【００１４】
請求項６に記載のプログラムは、見出語と当該見出語の説明情報とを対応づけて記憶する記憶機能と、選択された見出語に対応する説明情報を前記記憶機能から読み出して表示する制御を行う表示制御機能と、ネットワークを介して、見出語と当該見出語についての更新情報とを含む電子メールを受信するメール受信機能と、を実現させるためのプログラムであって、前記表示制御機能は、前記見出語選択機能により選択された見出語が前記受信された電子メールに含まれる見出語の場合に、当該見出語に対応する説明情報を当該電子メールに含まれる更新情報をもとに更新して表示する制御を行う更新表示制御機能を有する、ことを特徴とする。
【発明の効果】
【００１５】
本発明によれば、ネット上のデータを利用して、容易かつ適切に説明情報に含まれる情報を最新の状態に更新して表示することができる
【図面の簡単な説明】
【００１６】
【図１】電子辞書装置、更新サーバ及び入力部の一例を示す図である。
【図２】第１の実施の形態における電子辞書のブロック図を示す図である。
【図３】第１の実施の形態における（ａ）百科事典ＤＢ、（ｂ）更新情報テーブルのデータ構成の一例を示す図である。
【図４】第１の実施の形態における第１辞書検索処理のフローチャートを示す図である。
【図５】第１の実施の形態における辞書更新処理のフローチャートを示す図である。
【図６】第１の実施の形態における動作を説明した図である。
【図７】第１の実施の形態における動作を説明した図である。
【図８】第２の実施の形態における（ａ）ＲＯＭ、（ｂ）ＲＡＭの構成を示した図である。
【図９】第２の実施の形態における（ａ）百科事典ＤＢ、（ｂ）更新情報テーブルのデータ構成の一例を示す図である。
【図１０】第２の実施の形態における更新先登録処理のフローチャートを示す図である。
【図１１】第２の実施の形態における動作を説明した図である。
【図１２】第２の実施の形態における動作を説明した図である。
【図１３】第３の実施の形態における（ａ）ＲＯＭの構成、（ｂ）ＲＡＭの構成、（ｃ）ＥＥＰＲＯＭの構成、（ｄ）追加情報テーブルのデータ構成の一例を示した図である。
【図１４】第３の実施の形態における第２辞書検索処理のフローチャートを示す図である。
【図１５】第３の実施の形態における追加登録処理のフローチャートを示す図である。
【図１６】第３の実施の形態における動作を説明した図である。
【図１７】第３の実施の形態における動作を説明した図である。
【図１８】第３の実施の形態における動作を説明した図である。
【図１９】第４の実施の形態における（ａ）ＲＯＭの構成、（ｂ）ＲＡＭの構成、（ｃ）履歴格納領域のデータ構成の一例を示した図である。
【図２０】第４の実施の形態における第３辞書検索処理のフローチャートを示す図である。
【図２１】第４の実施の形態における履歴更新処理のフローチャートを示す図である。
【図２２】第４の実施の形態における動作を説明した図である。
【図２３】第５の実施の形態における（ａ）ＲＯＭ、（ｂ）ＲＡＭの構成を示した図である。
【図２４】第５の実施の形態におけるメール登録処理のフローチャートを示す図である。
【図２５】第５の実施の形態における動作を説明した図である。
【図２６】第５の実施の形態における動作を説明した図である。
【発明を実施するための形態】
【００１７】
〔第１の実施の形態〕
電子辞書装置には、国語辞典、英和辞典、和英辞典、百科事典等の各種電子辞書ＤＢが内蔵されている。この辞書ＤＢには、見出語に対応付けて、当該見出語を説明するための文字データや、画像データ、動画データ、音声データ等が記憶される。ユーザは、辞書種別を選択して入力文字を入力することにより、当該入力文字に対応する見出語の説明情報等を表示させることができる。尚、以下では、電子辞書装置に百科事典の辞書ＤＢが内蔵されている場合を例にとって説明する。
【００１８】
［１．１ 全体構成］
図１は、電子辞書装置１及び更新サーバ１０００の概観図である。同図に示すように、電子辞書装置１は、ディスプレイ３と、各種キー群５と、通信装置７とを備えて構成されている。また、更新サーバ１０００は、データベースを有して構成されており、データベースにはＨＰデータ１０１０と、ＨＰ更新日１０２０とが記憶されている。また、更新サーバは複数存在し、それぞれがインターネット２０００に接続されている。
【００１９】
ディスプレイ３は、上述した各種キーの押下に応じた文字や符号等、電子辞書装置１を使用するために必要な各種データが表示される部分である。ディスプレイ３は、ＬＣＤ（Liquid Crystal Display）等により構成されている。また、通信装置７は、ＰＨＳ（Personal Handy Phone System）カード等により構成されており、インターネットを介して各種サーバと接続される。
【００２０】
各種キー群５を構成するキーにはそれぞれ固有の機能が割り当てられており、ユーザはこれらのキーを押下して電子辞書装置１を操作する。具体的には、文字入力キー、辞書種別の選択キー、各種機能を実行する機能キー等を備える。
【００２１】
また、各種キー群５は決定キー９と、方向キー１１と、各種機能キー群１３とを備える。決定キー９は、各種モードを実行する際や、各種設定画面等において設定項目を決定する際等に使用される。方向キー１１は、例えば上下左右を示す４つのキーによって構成されており、各種設定画面等において設定項目を選択する際や、画面をスクロール表示させる際等に使用される。また、各種機能キー群は、更新キー１３ａと、登録キー１３ｂと、関連キー１３ｃと、履歴キー１３ｄとを備えている。
【００２２】
図２は、電子辞書装置１の構成を示すブロック図である。同図に示すように、電子辞書装置１は、ＣＰＵ（Central Processing Unit）１０と、ＲＯＭ（Read Only Memory）２０と、ＲＡＭ（Random Access Memory）３０と、ＥＥＰＲＯＭ（Electronically Erasable and Programmable Read Only Memory）４０と、入力部５０と、表示部６０と、通信部７０とを備えており、バス８０によって各部が接続されている。
【００２３】
［１．１．１ 記憶領域］
ＲＯＭ２０は、各種初期設定、ハードウェアの検査、あるいは必要なプログラムのロード等を行うための初期プログラムを格納する読み出し専用メモリである。ＣＰＵ１０は、電子辞書装置１の電源投入時においてこの初期プログラムを実行することにより、電子辞書装置１の動作環境を設定する。
【００２４】
また、ＲＯＭ２０は、メニュー表示処理、各種設定処理、各種検索処理等の電子辞書装置１の動作に係る各種プログラムや、電子辞書装置１の備える種々の機能を実現するためのプログラム等を格納すると共に、第１辞書検索プログラム２０２と、辞書更新プログラム２０４とを格納する。さらに、ＲＯＭ２０には、ホームページなどを閲覧するためのＷＷＷブラウザ（以下、適宜「ブラウザ」という）のプログラムや、電子メールを表示するための各種プログラムを内蔵しており、随時読み出して実行される。なお、これらのプログラムについては、公知なものであるため、その説明を省略する。
【００２５】
ＲＡＭ３０は、ＣＰＵ１０が実行する各種プログラムや、これらのプログラムの実行にかかるデータ等を一時的に保持する随時書き込み可能なメモリである。本実施形態では、ホームページ（以下、適宜「ＨＰ」という）データ格納領域３０２の領域が確保されている。
【００２６】
ＨＰデータ格納領域３０２は、後述するＨＰデータ１０１０を記憶する領域である。例えば、ＣＰＵ１０は、通信部７０からインターネットを介して更新サーバ１０００からＨＰデータ１０１０を取得する。そして、取得したＨＰデータ１０１０を、ＨＰデータ格納領域３０２に記憶する。
【００２７】
ＥＥＰＲＯＭ４０は、各種辞書ＤＢや、記憶しておくべきデータ等を記憶する電気的に書き換え可能なＲＯＭである。本実施形態では、百科事典ＤＢ４０２と、更新情報テーブル４０４とを格納する。
【００２８】
百科事典ＤＢ４０２は、見出語と、説明情報と、更新先ＨＰと、更新フラグと、更新日とを記憶している辞典ＤＢである。図３（ａ）は、百科事典ＤＢ４０２のデータ構成の一例を示した図である。百科事典ＤＢ４０２は、見出語（例えば、「とっきょせいき」）と、説明情報（例えば、「とっきょせいき…」）と、更新先ＨＰ（例えば、「http://www.kabuxxx.co.jp/6000/」）と、更新フラグ（例えば、「ＯＮ」）と、更新日（例えば「2002/10/30」）とを対応づけて記憶している。ＣＰＵ１０は、入力部５０から入力文字が入力されると、百科事典ＤＢ４０２から入力文字に適合する見出語を抽出し、抽出した見出語に対応する説明情報を表示部６０に表示する。
【００２９】
ここで、説明情報には、予め定められた更新対象情報名である「資本金、決算年月日、営業利益、経常利益、当期利益等」の記憶情報の位置にタグが埋め込まれている。具体的に、タグとは、開始タグ（例えば、「＜資本金＞」）から、終了タグ（例えば、「＜／資本金＞」）までの文字列（例えば、「＜資本金＞４１５億円＜／資本金＞」）のことを言う。また、「資本金」のように、「＜」と「＞」とで囲まれている文字をタグ文字列といい、タグの種別を指定している。さらに、「４１５億円」のように、更新対象情報名についての当初から記憶されている記憶情報は、開始タグと終了タグとの間にあるので、以下これをタグ内容といい、表示部６０には、タグ内容だけが表示される。
【００３０】
また、更新先ＨＰとは、電子辞書装置１が通信部７０を介して接続する更新サーバのネットワーク上のアドレスを記憶しており、ＵＲＬ（Uniform Resource Locator）や、ＩＰアドレスで表されたものが記憶されている。更新先ＨＰは、見出語種類別アドレス（例えば、「http://www.kabuxxx.co.jp/」）と、見出語別アドレス（例えば、「6000/」）とを含んでおり、これらを結合することによって更新先ＨＰのアドレスが決定される。ここで、見出語種類別アドレスとは、見出語の種類に対応づけられて記憶されているアドレスであり、例えば、見出語の種類が企業であれば、アドレス「http://www.kabuxxx.co.jp/」を記憶しており、見出語の種類がコンピュータ用語であれば、アドレス「http://cpu.yogo.co.jp/」を記憶しており、見出語の種類が地名であれば、アドレス「http://www.zenkokutokei.co.jp」を記憶している。また、見出語別アドレス（例えば、「6000/」）とは、見出語種類別アドレスに続けて入力されるアドレスであり、見出語種類別アドレスと見出語別アドレスとを連ねて入力することによって、当該見出語に対応しているページを直接指定することができる。
【００３１】
更新情報テーブル４０４は、見出語と、更新情報とを記憶しているテーブルである。図３（ｂ）は、更新情報テーブル４０４のデータ構成の一例を示した図である。更新情報テーブル４０４は、見出語（例えば、「とっきょせいき」）と、更新情報（例えば、「＜資本金＞４１５億円…」）とを対応づけて記憶している。ＣＰＵ１０は、更新情報テーブル４０４から百科事典ＤＢ４０２の見出語と同じ見出語に対応する更新情報を抽出する。そして、抽出した更新情報に基づいて、ＣＰＵ１０は、説明情報を更新表示する。
【００３２】
［１．１．２ ＣＰＵ］
ＣＰＵ１０は、入力される指示に応じて所定のプログラムに基づいた処理を実行し、各機能部への指示やデータの転送を行う。具体的には、ＣＰＵ１０は、入力部５０から入力される操作信号に応じてＲＯＭ２０に格納されたプログラムを読み出し、当該プログラムに従って処理を実行する。そして、ＣＰＵ１０は、処理結果を表示するための表示制御信号を適宜表示部６０に出力して、対応した表示情報を表示する。
【００３３】
また、ＣＰＵ１０は、本実施の形態において、ＲＯＭ２０の第１辞書検索プログラム２０２に従った、第１辞書検索処理（図４参照）を実行すると共に、この第１辞書検索処理において、辞書更新プログラム２０４に従った辞書更新処理をサブルーチンとして実行する。
【００３４】
具体的には、ＣＰＵ１０は、第１辞書検索処理において、まず、入力文字が入力されると、適合する見出語を選択し、選択見出語として記憶する。そして、ＣＰＵ１０は、選択見出語に対応する説明情報を、百科事典ＤＢ４０２より読み出して表示する。ここで、ＣＰＵ１０は、選択見出語に対応する更新フラグが、百科事典ＤＢ４０２に「ＯＮ」と記憶されている場合には、更新情報テーブル４０４に記憶されている更新情報に基づいて更新情報を表示し、更新表示した部分を特別表示する。さらに、ＣＰＵ１０は、旧データの表示を行う旨の所定の操作を検知すると、選択見出語に対応する更新前の説明情報を百科事典ＤＢ４０２より読み出して、ウィンドウに表示する。そして、ＣＰＵ１０は、選択見出語の更新日から３ヶ月以上経過している場合若しくはユーザにより更新キー１３ａが押下されたことを検知した場合には、辞書更新処理を実行する。
【００３５】
また、ＣＰＵ１０は、辞書更新処理において、選択見出語に対応する更新先ＨＰのアドレスを百科事典ＤＢ４０２から読み出し、更新先ＨＰからＨＰデータを取得して更新情報として記憶する。ここで、百科事典ＤＢ４０２に記憶された選択見出語の更新日より、ＨＰデータ１０２０の更新日が新しい場合に、ＣＰＵ１０は、百科事典ＤＢ４０２に記憶された選択見出語に対応する説明情報からタグを抽出し、抽出したタグのタグ文字列と同一の文字がＨＰデータ１０１０に存在するか否か判定する。そして、タグ文字列と同一の文字がＨＰデータ１０１０に存在する場合には、タグ文字列に対応するデータをＨＰデータ１０１０から抽出し、更新情報としてバッファに記憶する。そして、百科事典ＤＢ４０２に記憶された選択見出語に対応する説明情報に含まれる総てのタグについて処理が完了すると、ＣＰＵ１０は、バッファに記憶された更新情報を、更新情報テーブル４０４に記憶する。
【００３６】
［１．１．３ 入出力部等］
入力部５０は、仮名やアルファベット等の文字入力や機能選択等に必要なキー群を備えた入力装置であり、押下されたキーの信号をＣＰＵ１０に出力する。この入力部５０におけるキー入力により、入力文字の入力、辞書モードの選択、検索実行指示等の入力手段が実現される。なお、この入力部５０は、図１に示すキー群５に相当するが、キー群５に限られるわけではなく、例えばタッチパネル等であってもよい。
【００３７】
表示部６０は、ＣＰＵ１０から入力される表示信号に基づいて各種画面を表示するものであり、ＬＣＤ（Liquid Crystal Display）等により構成される。なお、この表示部６０は、図１に示すディスプレイ３に相当する。
【００３８】
通信部７０は、電子辞書装置１が、通信を行う為の通信装置であり、例えばＰＨＳカードや、無線ＬＡＮ（Local Area Network）カード等から構成される。なお、この通信部７０は、図１に示す通信装置７に相当する。
【００３９】
バス８０は、ＣＰＵ１０からのデータ等の電気信号を通す線路であり、ＣＰＵ１０と、ＲＯＭ２０と、ＲＡＭ３０と、ＥＥＰＲＯＭ４０と、入力部５０と、表示部６０と、通信部７０とをそれぞれ接続する信号線である。
【００４０】
［１．１．４ 更新サーバ］
更新サーバ１０００は、インターネット２０００に接続されているサーバの一つであり、ＨＰデータ１０１０と、ＨＰデータ１０１０の更新された日時を記憶するＨＰ更新日１０２０とを対応づけて記憶している。ここでは、更新サーバ１０００と包括的に表現するが、実際には１台のサーバであっても複数台のサーバであってもよい。また、ＨＰデータ１０１０とは、具体的にはＨＴＭＬ（HyperText Markup Language）や、ＸＭＬ（eXtensible Markup Language）等の所定のマークアップ言語で記述されているデータであり、ブラウザ等により整形されて表示される。
【００４１】
また、ＨＰ更新日１０２０は、ＨＰデータ１０１０の更新日を記憶している領域である。なお、本実施形態においては、ＨＰデータ１０１０の更新日を別に記憶するものとして説明しているが、これに限られるわけではなく、例えばＨＰデータ１０１０が記憶されているファイルのタイムスタンプを調べる等の他の公知の方法を用いることとしても良いことは勿論である。
【００４２】
［１．２ 処理の流れ］
［１．２．１ 第１辞書検索処理］
次に、第１の実施の形態における電子辞書装置１の動作を図を参照して説明する。まず、図４は、第１辞書検索処理に係る電子辞書装置１の動作を説明するためのフローチャートである。この第１辞書検索処理は、ＣＰＵ１０がＲＯＭ２０の第１辞書検索プログラム２０２を実行することによって実現される処理である。
【００４３】
まず、ＣＰＵ１０は、入力文字が入力部５０から入力されたか否かを判定する（ステップＡ１０）。入力文字が入力されると（ステップＡ１０；Ｙｅｓ）、入力文字に適合する見出語を、百科事典ＤＢ４０２から選択し、選択見出語として記憶する（ステップＡ１２）。次に、選択見出語に対応する説明情報を百科事典ＤＢ４０２から読み出して表示する（ステップＡ１４）。
【００４４】
次に、ＣＰＵ１０は、選択見出語に対応する更新フラグを、百科事典ＤＢ４０２から読み出し、「ＯＮ」と記憶されているか「ＯＦＦ」と記憶されているかを判定する（ステップＡ１６）。ここで、更新フラグが「ＯＮ」と記憶されている場合には、ＣＰＵ１０は、更新情報テーブル４０４から選択見出語に対応する更新情報を読み出し、読み出した更新情報に基づいて、説明情報の該当部分を更新表示する（ステップＡ１８）。
【００４５】
具体的には、ＣＰＵ１０は、選択見出語に対応する更新情報を更新情報テーブル４０４から読み出し、読み出された更新情報に記憶されているタグと同一のタグを、選択見出語に対応する説明情報から抽出する。そして、選択見出語に対応する説明情報に含まれているタグのタグ内容を、更新情報テーブル４０４に記憶されているタグ内容で更新して表示する。そして、ＣＰＵ１０は、更新して表示したタグ内容に、特別表示を施す（ステップＡ２０）。次に、ＣＰＵ１０は、旧データを表示する旨の所定の操作を検知すると（ステップＡ２２；Ｙｅｓ）、選択見出語に対応する更新前の説明情報を百科事典ＤＢ４０２から読み出し、表示部６０にウィンドウ表示する（ステップＡ２４）。
【００４６】
次に、ＣＰＵ１０は、選択見出語の更新日を百科事典ＤＢ４０２から読み出し、更新日から現在日までが３ヶ月以上経過しているか否かを判定する（ステップＡ２６）。そして、選択見出語の更新日から、現在日までが３ヶ月以上経過している場合には（ステップＡ２６；Ｙｅｓ）、辞書更新処理を実行する（ステップＡ３０）。
【００４７】
また、選択見出語の更新日から３ヶ月以上経過していない場合には（ステップＡ２６；Ｎｏ）、ＣＰＵ１０は、更新キー１３ａの入力を検知する（ステップＡ２８）。そして、ＣＰＵ１０は、更新キー１３ａの入力を検知すると（ステップＡ２８；Ｙｅｓ）、辞書更新処理を実行する（ステップＡ３０）。
【００４８】
そして、ユーザにより処理が継続されると（ステップＡ３２；Ｎｏ）、ＣＰＵ１０は、ステップＡ１４から繰り返し実行する。また、ユーザにより処理の終了が選択されると（ステップＡ３２；Ｙｅｓ）、第１辞書検索処理を終了する。
【００４９】
［１．２．２ 辞書更新処理］
次に、辞書更新処理について説明する。図５は、辞書更新処理にかかる電子辞書装置１の動作を説明するためのフローチャートである。この辞書更新処理は、ＣＰＵ１０が、ＲＯＭ２０の辞書更新プログラム２０４を実行することによって実現される処理である。
【００５０】
まず、ＣＰＵ１０は、通信部７０を介して更新サーバ１０００から、ＨＰデータ１０１０とＨＰ更新日１０２０を取得しＨＰデータ格納領域３０２に記憶する（ステップＢ１０）。具体的には、まずＣＰＵ１０は、選択見出語に対応する更新先ＨＰのアドレスを、百科事典ＤＢ４０２から読み出す。そして、読み出されたアドレスから特定される更新サーバ１０００に記憶されているＨＰデータ１０１０と、ＨＰ更新日１０２０を受信し、ＨＰデータ格納領域３０２に記憶する。
【００５１】
次に、ＣＰＵ１０は、選択見出語に対応する更新日を百科事典ＤＢ４０２から読み出し、読み出された更新日と、受信したＨＰ更新日１０２０とについて、どちらが新しいかを比較する（ステップＢ１２）。
【００５２】
そして、ＨＰ更新日１０２０の方が新しい場合に（ステップＢ１２；Ｙｅｓ）、ＣＰＵ１０は、選択見出語に対応する説明情報からタグを抽出する（ステップＢ１４）。そして、抽出したタグに含まれるタグ文字列と同一の文字列が、ＨＰデータ１０１０に含まれる場合には（ステップＢ１６；Ｙｅｓ）、タグ文字列に続く文字列を、ＨＰデータ１０１０から抽出する（ステップＢ１８）。そして、ＣＰＵ１０は、抽出した文字列から、タグを作成してバッファ領域に記憶する（ステップＢ２０）。具体的には、ＣＰＵ１０は、ステップＢ１８において抽出した文字列を、開始タグと終了タグで囲むことにより、タグとしてバッファに記憶する。
【００５３】
次に、ＣＰＵ１０は、百科事典ＤＢ４０２に記憶された選択見出語に対応する説明情報に含まれる総てのタグについて終了したと判定した場合に（ステップＢ２２；Ｙｅｓ）、バッファに記憶されたタグを、選択見出語と対応づけて更新情報テーブル４０４に記憶する（ステップＢ２４）。また、ＣＰＵ１０は、ＨＰ更新日１０２０を選択見出語の更新日として百科事典ＤＢ４０２に更新記憶し、併せて更新フラグを「ＯＮ」として更新記憶する（ステップＢ２６）。
【００５４】
［１．２．３ 具体例］
以上の各処理の具体例について、図を用いて具体的に説明する。図６（ａ）は、入力文字として「とっきょせいき」が入力されて、適合する見出語の説明情報が表示されている表示画面Ｗ１００の一例を示した図である（図４のステップＡ１０〜Ａ１４）。この状態で、ＣＰＵ１０は、更新キー１３ａが押下されたことを検知すると（ステップＡ２８）、辞書更新処理を実行する。
【００５５】
図６（ｂ）は、ＨＰデータ１０１０がブラウザプログラムを利用して表示された場合の表示画面Ｗ１００の一例である。実際のアドレス領域Ｕ１００には、現在表示されている更新先ＨＰのアドレスが表示されている。
【００５６】
まず、ＣＰＵ１０は、選択見出語に対応する説明情報を百科事典ＤＢ４０２から読み出し、読み出した説明情報からタグ「＜資本金＞」を抽出する。次に、当該タグに含まれるタグ文字列「資本金」と同一の文字列Ｍ１０８をＨＰデータ１０１０から抽出する（ステップＢ１８）。そして、抽出したタグ文字列Ｍ１０８「資本金」に続く文字列Ｍ１１０「４１５億円」を抽出する。そして、開始タグ「＜資本金＞」と、抽出した文字列Ｍ１１０「４１５億円」と、終了タグ「＜／資本金＞」とを含むタグ「＜資本金＞４１５億円＜／４１５億円＞」をバッファに記憶する（ステップＢ２０）。同様にして、タグ文字列Ｍ１００「決算年月日」に続く文字列Ｍ１０２「２００３年１２月期」と、タグ文字列Ｍ１０４「売上高」に続く文字列Ｍ１０６「３５９１億円」とをそれぞれＨＰデータ１０１０から抽出し、タグとしてバッファに記憶する。そして、ＣＰＵ１０は、選択見出語「とっきょせいき」と、バッファに記憶されたタグとを更新情報テーブル４０４に記憶する（ステップＢ１８）。
【００５７】
図７（ａ）は、選択見出語に対応する説明情報を表示する際に、更新情報テーブル４０４に記憶された更新情報に基づいて選択見出語に対応する説明情報を更新表示した表示画面Ｗ１００の一例を示す図である。ＣＰＵ１０は、選択見出語に対応する更新フラグが、百科事典ＤＢ４０２に「ＯＮ」と記憶されている場合には、更新情報テーブル４０４から選択見出語に対応する更新情報を抽出する。そして、選択見出語に対応する説明情報に含まれているタグを、更新情報テーブル４０４に記憶されている選択見出語に対応する更新情報に含まれているタグで置き換えて表示する（図４のステップＡ１８）。さらに、ＣＰＵ１０は、表示した説明情報のうち、置き換えて表示した部分に関しては、特別表示Ｔ１を施す（ステップＡ２０）。
【００５８】
図７（ｂ）は、百科事典ＤＢ４０２に記憶されている選択見出語に対応する説明情報の更新前の説明情報を別ウィンドウに表示した表示画面Ｗ１００の一例を示す図である。ＣＰＵ１０は、図７（ａ）の選択見出語に対応する説明情報が更新して表示されている状態で、所定の操作がなされると、選択見出語に対応する更新前の説明情報を、百科事典ＤＢ４０２から読み出し、表示ウィンドウＷ１１０に表示する。
【００５９】
このように、第１の実施の形態によれば、選択見出語の説明情報を更新する為に参照する更新先ＨＰのアドレスが百科事典ＤＢ４０２に記憶されており、記憶されている更新先ＨＰのアドレスに対応するサーバから説明情報の更新情報を抽出する。そして、抽出した更新情報に基づいて説明情報を更新表示することが出来る。さらに、更新前の説明情報と、更新後の説明情報を比較して表示することが出来る。
【００６０】
〔第２の実施の形態〕
次に、本発明を適用した第２の実施の形態について説明する。本実施の形態は、選択された見出語の説明情報を更新する更新先ＨＰを、ユーザにより入力されたアドレスに指定することができるものである。
【００６１】
［２．１ 構成］
第２の実施の形態における電子辞書装置１の構成は、第１の実施の形態において図２に示して説明した電子辞書装置１の構成において、ＲＯＭ２０を図８（ａ）に示すＲＯＭ２２に、ＲＡＭ３０を図８（ｂ）に示すＲＡＭ３２に置き換えた構成と同様であり、以下、同一の構成要素には同一の符号を付してその説明を省略する。また、更新先登録処理のフローチャートにおいて、第１の実施の形態における第１辞書検索処理のフローチャートと同一処理内容のステップについては同一の符号を付して、異なる部分を中心に説明する。
【００６２】
図８（ａ）を参照して、ＲＯＭ２２の構成について説明する。図８（ａ）に示すように、ＲＯＭ２２は、辞書更新プログラム２０４と、更新先登録プログラム２２０とを格納している。
【００６３】
更新先登録プログラム２２０は、本実施の形態における更新先登録処理を実現するためのプログラムであり、ＣＰＵ１０がこの更新先登録プログラム２２０を実行することで、更新先登録処理が実現される。また、この更新先登録処理において、辞書更新プログラム２０４に従った辞書更新処理をサブルーチンとして実行する。ＣＰＵ１０は、選択見出語に対応する説明情報を表示した後に登録キー１３ｂが押下されたことを検知すると、アドレス入力ウィンドウを表示する。そして、ＣＰＵ１０は、アドレス入力ウィンドウにアドレスが入力されると、入力されたアドレスを選択見出語の更新先ＨＰとして百科事典ＤＢ４０２に記憶する。
【００６４】
また、図８（ｂ）を参照して、ＲＡＭ３２の構成について説明する。図８（ｂ）に示すように、ＲＡＭ３２は、ＨＰデータ格納領域３０２と、アドレス格納領域３２０との記憶領域を確保している。
【００６５】
アドレス格納領域３２０は、ユーザによって入力されたアドレスを記憶するための領域である。ＣＰＵ１０は、アドレス格納領域３２０に記憶されたアドレスに従って特定される更新サーバと通信部７０を介して通信を行う。
【００６６】
図９（ａ）は、第２の実施の形態における百科事典ＤＢ４０２のデータ構成の一例を示した図であり、図９（ｂ）は、第２の実施の形態における更新情報テーブル４０４のデータ構成の一例を示した図である。詳細については、第１の実施の形態と同様であるので省略する。
【００６７】
［２．２ 処理の流れ］
次に、第２の実施の形態における電子辞書装置１の動作について図を参照して説明する。図１０は、更新先登録処理に係る電子辞書装置１の動作を説明するためのフローチャートである。この更新先登録処理は、ＣＰＵ１０がＲＯＭ２２の更新先登録プログラム２２０を実行することによって実現される処理である。
【００６８】
ＣＰＵ１０は、入力文字が入力されたことを検知すると、入力文字に適合する見出語を選択見出語として選択し、選択見出語に対応する説明情報を表示する（ステップＡ１０〜Ａ１６）。次に、ＣＰＵ１０は、登録キー１３ｂが押下されたことを検知すると（ステップＣ１８；Ｙｅｓ）、表示部６０にアドレス入力ウィンドウを表示する（ステップＣ２０）。そして、入力部５０からアドレスが入力されると（ステップＣ２２；Ｙｅｓ）、ＣＰＵ１０は、入力されたアドレスをアドレス格納領域３２０に記憶する（ステップＣ２４）。そして、ＣＰＵ１０は、アドレス格納領域３２０に記憶されたアドレスに対応するＨＰデータ１０１０に基づいて表示部６０に表示する（ステップＣ２６）。ここで、ユーザにより登録キー１３ｂが押下されたことを検知すると（ステップＣ２８；Ｙｅｓ）、ＣＰＵ１０は、アドレス格納領域３２０に記憶されたアドレスを、選択見出語の更新先ＨＰのアドレスとして百科事典ＤＢ４０２に更新記憶する（ステップＣ３０）。このとき、更新先ＨＰのアドレスのうち、見出語種類別アドレスを除いた部分を、見出語別アドレスとして記憶する。そして、ＣＰＵ１０は、辞書更新処理を実行し（ステップＣ３２）、更新先登録処理を終了する。
【００６９】
［２．３ 具体例］
以上の各処理の具体例について、図を用いて具体的に説明する。図１１（ａ）は、入力文字として「しょうひょうじどうしゃ」を入力し、選択見出語の説明情報が表示されている表示画面Ｗ２００の一例を示した図である（図１０のステップＡ１０〜Ａ１６）。
【００７０】
図１１（ｂ）は、アドレス入力ウィンドウＷ２１０を表示している状態である。図１１（ａ）の状態で、ＣＰＵ１０は、登録キー１３ｂが押下されたことを検知すると（図１０のステップＣ１８）、アドレス入力ウィンドウＷ２１０を表示する（ステップＣ２０）。そして、アドレス入力領域Ｕ２００に、登録先アドレス「http://www.kabuxxx.co.jp/7000/」が入力されている。ＣＰＵ１０は、アドレス入力領域Ｕ２００に入力された登録先アドレスを、アドレス格納領域３２０に記憶する。
【００７１】
図１２（ａ）は、アドレス格納領域３２０に記憶されているアドレスに基づいて、更新サーバ１０００に記憶されているＨＰデータ１０１０を読み出し、読み出されたＨＰデータ１０１０に基づいて表示した表示画面Ｗ２００の一例を示した図である。アドレス格納領域３２０に記憶されたアドレスが、アドレス表示領域Ｕ２１０に表示されている。また、当該アドレスは、現在表示しているＨＰデータ１０１０のアドレスを示しているものである。
【００７２】
図１２（ｂ）は、登録アドレスを確認する確認ウィンドウＷ２２０を表示している表示画面Ｗ２００の一例を示した図である。ユーザにより、例えば登録キー１３ｂが再び押下されたことをＣＰＵ１０が検知すると、現在表示しているＨＰデータ１０１０のアドレスを選択見出語に対応する更新先ＨＰのアドレスとして登録する旨の確認ウィンドウＷ２２０を表示している（ステップＣ２８）。ここで、ＣＰＵ１０は、確認ウィンドウＷ２２０の中のアドレス領域Ｕ２２０に、登録先ＵＲＬを表示している。そして、ユーザから決定キー９が押下されたことをＣＰＵ１０が検知すると、アドレス領域Ｕ２２０に表示されているアドレス「http://www.kabuxxx.co.jp/7000/」のうち、見出語種類別アドレス「http://www.kabu.xxx.co.jp/」以外の部分となる「7000/」を選択見出語に対応する見出語別アドレスとして、百科事典ＤＢ４０２に記憶する（ステップＣ３０）。
【００７３】
このように、第２の実施の形態によれば、選択見出語に対応する更新先ＨＰのアドレスが入力されることにより、入力されたアドレスを、選択見出語に対応する更新先ＨＰとして記憶することができる。従って、入力されたアドレスに基づくＨＰデータから選択見出語に対応する説明情報の更新情報を取得することができる。従って、ユーザはより適切なＨＰを更新先のＨＰとして登録することが可能となる。
【００７４】
このようにして更新先のＨＰとして登録した後、第１の実施の形態と同様な操作によって、選択見出語の説明情報を更新する為に参照するユーザ登録の更新先ＨＰのアドレスが百科事典ＤＢ４０２に記憶され、記憶されているユーザ登録の更新先ＨＰのアドレスに対応するサーバから説明情報の更新情報を抽出する。そして、抽出した更新情報に基づいて説明情報を更新表示することが出来る。さらに、更新前の説明情報と、更新後の説明情報を比較して表示することが出来る。従って、ユーザはより適切なＨＰを更新先のＨＰとして登録して、その更新先のＨＰの更新情報に基づいて説明情報を更新表示することが出来る。
【００７５】
なお、本実施の形態においては、ユーザにより入力されたアドレスを、選択見出語に対応する更新先ＨＰとして登録する手順を説明したが、これに限られないことは勿論である。例えば、ＨＰデータに基づいて、所定のＨＰが表示されている。そして、ユーザにより登録キー１３ｂが押下されることにより、現在表示されているＨＰのアドレスを、選択見出語の更新先ＨＰとして記憶することができる。この場合、ユーザは直接アドレスを入力する必要がなくなる。
【００７６】
〔第３の実施の形態〕
次に、本発明を適用した第３の実施の形態について説明する。本実施の形態は、説明情報に対して指定された追加情報を記憶することができ、記憶された追加情報を、説明情報に対応づけて表示させることが出来るものである。
【００７７】
［３．１ 構成］
第３の実施の形態における電子辞書装置１の構成は、第１の実施の形態において図２に示して説明した電子辞書装置１の構成において、ＲＯＭ２０を図１３（ａ）に示すＲＯＭ２４に、ＲＡＭ３０を図１３（ｂ）に示すＲＡＭ３４に、ＥＥＰＲＯＭ４０を図１３（ｃ）に示すＥＥＰＲＯＭ４４に置き換えた構成と同様であり、以下、同一の構成要素には同一の符号を付してその説明を省略する。また、第２辞書検索処理のフローチャートにおいて、第１の実施の形態における第１辞書検索処理のフローチャートと同一処理内容のステップについては同一の符号を付して、異なる部分を中心に説明する。
【００７８】
図１３（ａ）を参照して、ＲＯＭ２４の構成について説明する。図１３（ａ）に示すように、ＲＯＭ２４は、第２辞書検索プログラム２４０と、追加登録プログラム２４２とを格納している。
【００７９】
第２辞書検索プログラム２４０は、本実施の形態における第２辞書検索処理を実現するためのプログラムであり、ＣＰＵ１０がこの第２辞書検索プログラム２４０を実行することで、第２辞書検索処理が実現される。また、この第２辞書検索処理において、追加登録プログラム２４２に従った追加登録処理をサブルーチンとして実行する。ＣＰＵ１０は、選択見出語に対応する説明情報を表示した後に、追加情報テーブル４４０に選択見出語に対応する追加情報が記憶されていると判定した場合には、追加情報の項目を表示する。そして、追加情報の項目が選択された場合に、ＣＰＵ１０は、選択された追加情報を表示する。また、ＣＰＵ１０は、選択見出語に対応する追加情報は、追加情報テーブル４４０に記憶されていないが、関連キー１３ｃが押下されたことを検知した場合には、追加登録処理を実行する。
【００８０】
追加登録プログラム２４２は、本実施の形態における追加登録処理を実現するためのプログラムであり、ＣＰＵ１０がこの追加登録プログラム２４２を実行することで、追加登録処理が実現される。まず、ＣＰＵ１０は、アドレス入力ウィンドウを表示する。そして、入力部５０からアドレスが入力されたことを検知すると、ＣＰＵ１０は入力されたアドレスを記憶する。さらに、ＣＰＵ１０は、記憶されたアドレスに基づいてＨＰデータを取得し、表示する。ここで、ＣＰＵ１０は、ＨＰデータに基づいて表示されたＨＰのうち、範囲指定がなされたことを検知すると、項目名を入力させ、見出語と、項目名と、追加情報となる指定範囲の文字とを追加情報テーブル４４０に記憶する。
【００８１】
また、図１３（ｂ）を参照して、ＲＡＭ３４の構成について説明する。図１３（ｂ）に示すように、ＲＡＭ３４は、ＨＰデータ格納領域３０２と、アドレス格納領域３４０との領域を確保している。
【００８２】
また、図１３（ｃ）を参照して、ＥＥＰＲＯＭ４４の構成について説明する。図１３（ｃ）に示すように、ＥＥＰＲＯＭ４４は、百科事典ＤＢ４０２と、更新情報テーブル４０４と、追加情報テーブル４４０とを格納している。
【００８３】
追加情報テーブル４４０は、ユーザによって範囲指定された文字列を追加情報として記憶するためのテーブルである。図１３（ｄ）に、追加情報テーブル４４０のデータ構成の一例を示す。図１３（ｄ）に示されているように、追加情報テーブル４４０は、見出語（例えば、「とっきょせいき」）と、項目（例えば、「会社分類」）と、追加情報（例えば、「［特色］デジタルカメラが…」）とを対応づけて記憶している。
【００８４】
［３．２ 処理の流れ］
［３．２．１ 第２辞書検索処理］
次に、第３の実施の形態における電子辞書装置１の動作について図を参照して説明する。図１４は、第２辞書検索処理に係る電子辞書装置１の動作を説明するためのフローチャートである。この第２辞書検索処理は、ＣＰＵ１０がＲＯＭ２４の第２辞書検索プログラム２４０を実行することによって実現される処理である。
【００８５】
まず、ＣＰＵ１０は入力文字が入力されると、入力文字に適合する見出語を選択見出語として選択し、選択した見出語に対応する説明情報を表示する（ステップＡ１０〜Ａ２４）。
【００８６】
次に、ＣＰＵ１０は、選択見出語に対応する追加情報が記憶されているか否かを判定する（ステップＤ２５）。具体的に、ＣＰＵ１０は、選択見出語と同一の見出語を、追加情報テーブル４４０から検索する。そして、追加情報テーブル４４０に選択見出語と同一の見出語が記憶されている場合には、追加情報が記憶されていると判定する。
【００８７】
そして、ＣＰＵ１０は、選択見出語に対応する追加情報が、追加情報テーブル４４０に記憶されていると判定した場合には（ステップＤ２５；Ｙｅｓ）、追加情報テーブル４４０から、選択見出語に対応する項目を読み出して表示部６０に表示する（ステップＤ２６）。そして、表示された項目が選択されると（ステップＤ２８；Ｙｅｓ）、ＣＰＵ１０は、追加情報テーブル４４０から選択された追加情報を読み出し、表示部６０に表示する（ステップＤ３０）。
【００８８】
他方、ＣＰＵ１０は、選択見出語に対応する追加情報が記憶されていないと判定した場合には（ステップＤ２５；Ｎｏ）、続いて関連キー１３ｃが押下されたか否かを判定する（ステップＤ３２）。そして、関連キー１３ｃが押下されたと検知すると（ステップＤ３２；Ｙｅｓ）、ＣＰＵ１０は、追加登録処理を実行する（ステップＤ３４）。
【００８９】
そして、ＣＰＵ１０は、処理の終了を検知すると（ステップＤ３６；Ｙｅｓ）、第２辞書検索処理を終了する。
【００９０】
［３．２．２ 追加登録処理］
次に、追加登録処理の動作について図を参照して説明する。図１５は、追加登録処理に係る電子辞書装置１の動作を説明するためのフローチャートである。この追加登録処理は、ＣＰＵ１０がＲＯＭ２４の追加登録プログラム２４２を実行することによって実現される処理である。
【００９１】
まず、ＣＰＵ１０は、表示部６０にアドレス入力ウィンドウを表示する（ステップＥ１０）。次に、ＣＰＵ１０は、アドレスが入力されると（ステップＥ１２；Ｙｅｓ）、入力されたアドレスを、アドレス格納領域３４０に記憶する（ステップＥ１４）。そして、ＣＰＵ１０は、アドレス格納領域３４０に記憶されたアドレスに基づいてＨＰデータ１０１０を取得し、取得したＨＰデータ１０１０に基づいてＨＰを表示部６０に表示する（ステップＥ１６）。次に、ＣＰＵ１０は、表示部６０に表示したＨＰのうち、ユーザに文字列の範囲を指定させる。そして、文字列の範囲が確定すると（ステップＥ１８；Ｙｅｓ）、ＣＰＵ１０は、項目名を入力させる（ステップＥ２０）。そして、ＣＰＵ１０は、選択見出語と、ステップＥ２０で入力された項目名と、ステップＥ１８で確定した範囲の文字列とを対応づけて、追加情報テーブル４４０に記憶する。
【００９２】
［３．３ 具体例］
以上の各処理の具体例について、図を用いて具体的に説明する。図１６（ａ）は、選択見出語「とっきょせいき」の説明情報を表示している表示画面Ｗ３００の一例を示す図である。
【００９３】
図１６（ｂ）は、ＨＰデータ１０１０のアドレスを入力するためのアドレス入力ウィンドウＷ３１０を表示している表示画面Ｗ３００の一例を示す図である。ＣＰＵ１０は、図１６（ａ）の状態から関連キー１３ｃが押下されたことを検知すると（図１４のステップＤ３２）、追加登録処理を実行する（図１４のステップＤ３４）。そして、追加登録処理において、アドレス入力ウィンドウＷ３１０を表示する（図１５のステップＥ１０）。そして、アドレス入力領域Ｕ３００に、アドレス「http://www.kabujoho.jp/6000/gaiyo/」が入力されると、ＣＰＵ１０は、入力されたアドレスをアドレス格納領域３２０に記憶する。ＣＰＵ１０は、このアドレスに基づいて、選択見出語に対応する追加情報を取得する。
【００９４】
図１７（ａ）は、アドレス格納領域３２０に記憶されているアドレスに対応するＨＰデータ１０１０を取得し、ＨＰデータ１０１０に基づいて表示している表示画面Ｗ３００の一例を示した図である。ＣＰＵ１０は、アドレス格納領域３２０に記憶されたアドレスに対応するＨＰデータ１０１０に基づいてＨＰを表示する（ステップＥ１６）。ここで、アドレス表示領域Ｕ３１０には、現在表示しているＨＰのアドレスが表示されている。また、ユーザにより、表示されたＨＰに含まれる文字列が選択されると、選択された文字列を反転して特別表示Ｒ３００させる。
【００９５】
図１７（ｂ）は、項目名を入力させる項目名入力ウィンドウＷ３２０が表示されている表示画面Ｗ３００の一例を示した図である。ＣＰＵ１０は、項目名入力ウィンドウＷ３２０を表示し、入力欄Ｎ３００に追加情報テーブル４４０に記憶する項目名を入力させる（ステップＥ２０）。そして、見出語「とっきょせいき」と、入力された項目名「会社概要」と、範囲指定された文字列「…デジタルカメラの売上が…」とを、追加情報テーブル４４０に記憶する（ステップＥ２２）。
【００９６】
図１８（ａ）は、入力文字「とっきょせいき」に適合する選択見出語の説明情報と、追加情報の項目名とを表示している表示画面Ｗ３００の一例を示す図である。ＣＰＵ１０は、選択見出語に対応する追加情報が記憶されている場合には、選択見出語に対応する追加情報の項目Ｋ３００を表示画面Ｗ３００に表示する（図１４のステップＤ２６）。
【００９７】
図１８（ｂ）は、表示された項目が選択され、選択された項目に対応する追加情報が表示されている表示画面Ｗ３００の一例を示す図である。ＣＰＵ１０は、表示された項目が選択されると（ステップＤ２８；Ｙｅｓ）、選択見出語と、選択された項目とに対応する追加情報を追加情報テーブル４４０から読み出して表示画面Ｗ３００に表示する（ステップＤ３０）。
【００９８】
このように、第３の実施の形態によれば、選択見出語に対応づけて、ＨＰに表示されたデータのうち、選択した範囲の文字列等を追加情報として記憶することが出来る。
【００９９】
なお、本実施の形態においては、追加情報の項目名を表示し、項目名が選択されると追加情報を表示することとして説明したが、これに限られるわけではなく、例えば、選択見出語に対応する説明情報を百科事典ＤＢ４０２から読み出して表示した後に、続けて追加情報を表示することとしても良いことは勿論である。
【０１００】
〔第４の実施の形態〕
次に、本発明を適用した第４の実施の形態について説明する。本実施の形態は、選択見出語を履歴見出語として記憶する際に、更新情報が記憶されているか否かを記憶する。そして、履歴一覧表示を行う際に、辞書更新処理が実行された履歴見出語については識別表示を施し、識別表示が施された履歴見出語については、更新処理を実行するものである。
【０１０１】
［４．１ 構成］
第４の実施の形態における電子辞書装置１の構成は、第１の実施の形態において図２に示して説明した電子辞書装置１の構成において、ＲＯＭ２０を図１９（ａ）に示すＲＯＭ２６に、ＲＡＭ３０を図１９（ｂ）に示すＲＡＭ３６に置き換えた構成と同様であり、以下、同一の構成要素には同一の符号を付してその説明を省略する。また、第３辞書検索処理のフローチャートにおいて、第１の実施の形態の第１辞書検索処理のフローチャートと同一処理内容のステップについては同一の符号を付して、異なる部分を中心に説明する。
【０１０２】
図１９（ａ）を参照して、ＲＯＭ２６の構成について説明する。図１９（ａ）に示すように、ＲＯＭ２６は、辞書更新プログラム２０４と、第３辞書検索プログラム２６０と、履歴検索プログラム２６２とを格納している。
【０１０３】
第３辞書検索プログラム２６０は、本実施の形態における第３辞書検索処理を実現するためのプログラムであり、ＣＰＵ１０がこの第３辞書検索プログラム２６０を実行することで、第３辞書検索処理が実現される。また、ＣＰＵ１０は、この第３辞書検索処理において、辞書更新プログラム２０４に従った辞書更新処理をサブルーチンとして実行する。ＣＰＵ１０は、辞書更新処理を実行すると、選択見出語を履歴見出語として履歴格納領域３６０に記憶し、併せて履歴見出語の更新履歴を「ＯＮ」として記憶する。また、ＣＰＵ１０は、選択見出語に対応する説明情報は表示したが辞書更新処理を実行していない場合には、選択見出語を履歴格納領域３６０に記憶し、併せて更新履歴を「ＯＦＦ」として記憶する。
【０１０４】
履歴検索プログラム２６２は、本実施の形態における履歴検索処理を実現するためのプログラムであり、ＣＰＵ１０がこの履歴検索プログラム２６２を実行することで、履歴検索処理が実現される。また、ＣＰＵ１０は、この履歴検索処理において、辞書更新プログラム２０４に従った辞書更新処理をサブルーチンとして実行する。ＣＰＵ１０は、履歴キー１３ｄが押下されると、履歴格納領域３６０に記憶されている履歴見出語を一覧表示する。この際、ＣＰＵ１０は、履歴見出語に対応する更新履歴を履歴格納領域３６０から読み出し、履歴見出語が「ＯＮ」の場合には、識別マークを表示する。さらに、履歴見出語に対応する更新履歴が「ＯＮ」の履歴見出語について、辞書更新処理を実行する。
【０１０５】
また、図１９（ｂ）を参照して、ＲＡＭ３６の構成について説明する。図１９（ｂ）に示すように、ＲＡＭ３６は、ＨＰデータ格納領域３０２と、履歴格納領域３６０とを格納している。
【０１０６】
履歴格納領域３６０は、入力文字に適合する見出語を選択し、選択された見出語を履歴（履歴見出語）として記憶するためのテーブルである。図１９（ｃ）に、履歴格納領域３６０のデータ構成の一例を示す。図１９（ｃ）に示されているように、履歴格納領域３６０は、履歴見出語（例えば、「とっきょせいき」）と、更新履歴（例えば、「ＯＮ」）とを対応づけて記憶している。ここで、更新履歴とは、履歴見出語に基づいて辞書更新処理が実行されたか否かを記憶するものである。
【０１０７】
［４．２ 処理の流れ］
［４．２．１ 第３辞書検索処理］
次に、第４の実施の形態における電子辞書装置１の動作について図を参照して説明する。図２０は、第３辞書検索処理に係る電子辞書装置１の動作を説明するためのフローチャートである。この第３辞書検索処理は、ＣＰＵ１０がＲＯＭ２６の第３辞書検索プログラム２６０を実行することによって実現される処理である。
【０１０８】
まず、ＣＰＵ１０は入力文字が入力されると、入力文字に適合する見出語を選択し、選択された見出語に対応する説明情報を表示する（ステップＡ１０〜Ａ２４）。
【０１０９】
次に、ＣＰＵ１０は、選択見出語に対応する更新日を、百科事典ＤＢ４０２から読み出し、現在日から３ヶ月以上経過しているか（ステップＡ２６；Ｙｅｓ）、若しくは更新キー１３ａが押下されたことが検知された場合には（ステップＡ２８；Ｙｅｓ）、辞書更新処理を実行する（ステップＦ３２）。そして、ＣＰＵ１０は、選択見出語を履歴見出語として履歴格納領域３６０に蓄積記憶し、さらに、履歴見出語に対応する更新履歴を「ＯＮ」として履歴格納領域３６０に記憶する（ステップＦ３４）。
【０１１０】
一方、ステップＡ２６及びＡ２８において、条件を満たさない場合には、ＣＰＵ１０は選択見出語を履歴見出語として履歴格納領域３０６に蓄積記憶し、さらに、履歴見出語に対応する更新履歴を「ＯＦＦ」として履歴格納領域３６０に記憶する（ステップＦ３０）。
【０１１１】
そして、処理の終了が検知されると（ステップＦ３６；Ｙｅｓ）、第３辞書検索処理を終了する。
【０１１２】
［４．２．２ 履歴検索処理］
次に、履歴更新処理について図を参照して説明する。図２１は、履歴検索処理に係る電子辞書装置１の動作を説明するためのフローチャートである。この履歴検索処理は、ＣＰＵ１０がＲＯＭ２６の履歴検索プログラム２６２を実行することによって実現される処理である。
【０１１３】
まず、ＣＰＵ１０は、履歴キー１３ｄが押下されたことを検知すると（ステップＧ１０；Ｙｅｓ）、履歴格納領域３６０に記憶されている履歴見出語を一覧表示する（ステップＧ１２）。次に、ＣＰＵ１０は、履歴格納領域３６０に記憶されている履歴見出語のうち、更新履歴が「ＯＮ」と記憶されている履歴見出語が表示されている行に、識別マークを表示する（ステップＧ１２）。
【０１１４】
次に、ＣＰＵ１０は、履歴格納領域３６０が更新されてから例えば３ヶ月以上経過しているか（ステップＧ１６；Ｙｅｓ）、若しくは更新キー１３ａの押下を検知した場合には（ステップＧ１８；Ｙｅｓ）、履歴格納領域３６０から、更新履歴が「ＯＮ」と記憶されている履歴見出語を１つ抽出する（ステップＧ２０）。
【０１１５】
さらに、ＣＰＵ１０は、選択見出語に対応するＨＰデータ１０１０を、通信部７０を介して取得し、ＨＰデータ格納領域３０２に記憶する（ステップＧ２２）。このとき、選択見出語に対応する更新日を、百科事典ＤＢ４０２から読み出し、選択見出語に対応する更新日と、ＨＰ更新日１０２０とを比較する。そして、ＨＰ更新日１０２０の方が新しい場合は（ステップＧ２４；Ｙｅｓ）、辞書更新処理を実行する（ステップＧ２６）。
【０１１６】
そして、ＣＰＵ１０は、履歴格納領域３６０に記憶されている総ての履歴見出語について処理が終了したか否かを判定する（ステップＧ２８）。ここで、履歴格納領域３６０に記憶されている履歴見出語がまだ存在する場合には（ステップＧ２８；Ｎｏ）、次に更新履歴が「ＯＮ」の履歴見出語を抽出する（ステップＧ３０）。
【０１１７】
また、ＣＰＵ１０は、履歴格納領域３６０に記憶されている総ての履歴見出語について、処理が終了した場合には（ステップＧ２８；Ｙｅｓ）、一覧表示されている履歴見出語の中から一の見出語を選択させる（ステップＧ３２；Ｙｅｓ）。そして、ＣＰＵ１０は、選択された見出語に対応する説明情報を、更新情報に基づいて表示し（ステップＧ３４）、履歴検索処理を終了する。
【０１１８】
［４．３ 具体例］
以上の各処理の具体例について、図を用いて具体的に説明する。図２２（ａ）は、ＣＰＵ１０が履歴見出語が一覧表示されている表示画面Ｗ４００の一例を示した図である。ＣＰＵ１０は、履歴格納領域３６０に記憶されている履歴見出語を一覧表示Ｈ４００する（ステップＧ１２）。そして、履歴格納領域３６０において、更新履歴が「ＯＮ」と記憶されている履歴見出語には、識別マークＭ４００を表示する（ステップＧ１４）。そして、ＣＰＵ１０は、辞書更新処理を実行する際には、図２２（ａ）に表示された履歴見出語の中から、更新履歴が「ＯＮ」と記憶されている履歴見出語「とっきょせいき」について、ＨＰデータ１０１０を取得する。
【０１１９】
図２２（ｂ）は、図２２（ａ）において、「とっきょせいき」が選択された場合に、見出語「とっきょせいき」に対応する説明情報が表示されている表示画面Ｗ４００の一例である。
【０１２０】
このように、第４の実施の形態によれば、選択見出語を履歴見出語として記憶し、この履歴見出語を一覧表示する際に、更新情報が記憶されている履歴見出語を識別表示することが出来る。さらに、履歴見出語の中から、更新情報が記憶されている履歴見出語についてのみ更新処理を実行することが出来る。
【０１２１】
なお、本実施の形態においては、履歴キー１３ｄが押下された後に処理を開始することとして説明したが、これに限られるわけではない。例えば、電子辞書装置１が通電されている状態であれば、所定の時間が経過した場合にＣＰＵ１０は、自動的にステップＡ２６〜Ｆ３４の処理を実行することとしてもよい。この場合、履歴機能を実行していない場合であっても、更新情報を取得することができる。
【０１２２】
また、ステップＧ１４において付した識別マークについては、例えば更新情報を取得してから所定の期間の間の履歴見出語に付すようにしたり、更新情報を取得したが、説明情報が表示されていない履歴見出語に付すようにしたりすることとしても良い。
【０１２３】
〔第５の実施の形態〕
次に、本発明を適用した第５の実施の形態について説明する。本実施の形態は、受信したメールの中に含まれている見出語（以下、適宜「メール見出語」という）が選択されると、選択されたメール見出語が、辞書ＤＢに記憶されていない場合には、メール見出語と、メール見出語に対応する説明情報とを百科事典ＤＢ４０２に追加記憶し、選択された見出語が、辞書ＤＢに記憶されている場合には、見出語に対応する更新情報を記憶するものである。
【０１２４】
［５．１ 構成］
第５の実施の形態における電子辞書装置１の構成は、第１の実施の形態において図２に示して説明した電子辞書装置１の構成において、ＲＯＭ２０を図２３（ａ）に示すＲＯＭ２８に、ＲＡＭ３０を図２３（ｂ）に示すＲＡＭ３８に置き換えた構成と同様であり、以下、同一の構成要素には同一の符号を付してその説明を省略する。
【０１２５】
図２３（ａ）を参照して、ＲＯＭ２８の構成について説明する。図２３（ａ）に示すように、ＲＯＭ２８は、メール登録プログラム２８０を格納している。
【０１２６】
メール登録プログラム２８０は、本実施の形態におけるメール登録処理を実現するためのプログラムであり、ＣＰＵ１０がこのメール登録プログラム２８０を実行することで、メール登録処理が実現される。ＣＰＵ１０は、メールデータを受信すると、受信したメールデータに基づいてメールを表示する。そして、ＣＰＵ１０は、登録キー１３ｂが押下されたことを検知すると、メール見出語を選択させる。そして、ＣＰＵ１０は、選択されたメール見出語と、同一の見出語が辞書ＤＢにあると判定した場合には、更新情報を記憶する。また、ＣＰＵ１０は、メール見出語と同一の見出語が辞書ＤＢにないと判定した場合には、メール見出語と、メール見出語に対応する説明情報を、辞書ＤＢに新たな見出語として追記する。
【０１２７】
また、図２３（ｂ）を参照して、ＲＡＭ３８の構成について説明する。図２３（ｂ）に示すように、ＲＡＭ３２は、メールデータ格納領域３８０の記憶領域を確保している。
【０１２８】
メールデータ格納領域３８０は、通信部７０を介して、電子辞書装置１が受信したメールデータが記憶される領域である。メールデータは、ＨＴＭＬやＸＭＬ等のマークアップ言語等で記述されている。ＣＰＵ１０は、電子辞書装置１に内蔵されている電子メールソフトを利用し、表示部６０に整形してメールとして表示する。
【０１２９】
［５．２ 処理の流れ］
次に、第５の実施の形態における電子辞書装置１の動作について図を参照して説明する。図２４は、メール登録処理に係る電子辞書装置１の動作を説明するためのフローチャートである。このメール登録処理は、ＣＰＵ１０がＲＯＭ２８のメール登録プログラム２８０を実行することによって実現される処理である。
【０１３０】
ＣＰＵ１０は、通信部７０を介してサーバからメールデータを受信する（ステップＨ１０；Ｙｅｓ）。ＣＰＵ１０は、受信したメールデータに基づいて、表示部６０に表示する（ステップＨ１２）。
【０１３１】
次に、ＣＰＵ１０は、登録キー１３ｂが押下されたことを検知すると（ステップＨ１４；Ｙｅｓ）、メール見出語を選択させる（ステップＨ１６）。メール見出語が選択されると（ステップＨ１６；Ｙｅｓ）、選択されたメール見出語と同一の見出語が、百科事典ＤＢ４０２に記憶されているか否かを判定する（ステップＨ１８）。
【０１３２】
ここで、ＣＰＵ１０は、選択されたメール見出語と同一の見出語が、百科事典ＤＢ４０２に記憶されていないと判定された場合には（ステップＨ１８；Ｎｏ）、メール見出語と、メール見出語に対応する説明情報とを、百科事典ＤＢ４０２の見出語と、説明情報として追記する（ステップＨ２０）。また、百科事典ＤＢ４０２に追記した日を、百科事典ＤＢ４０２に記憶される見出語に対応する更新日として百科事典ＤＢ４０２に記憶し（ステップＨ２２）、メール登録処理を終了する。
【０１３３】
他方、ＣＰＵ１０は、選択されたメール見出語と同一の見出語が、百科事典ＤＢ４０２に記憶されていると判定された場合には（ステップＨ１８；Ｙｅｓ）、メールデータからタグを抽出し（ステップＨ２４）、タグを更新情報として、更新情報テーブル４０４に更新記憶する（ステップＨ２６）。そして、総てのタグについて処理が完了していない場合には（ステップＨ２８；Ｎｏ）、同様にタグに関して処理を実行し、総てのタグについて処理が完了した場合には（ステップＨ２８；Ｙｅｓ）、メール登録処理を終了する。
【０１３４】
［５．３ 具体例］
これまでの処理について、図を用いて具体的に説明する。図２５（ａ）は、受信したメールデータを示すメールデータＤ５００を示した図である。受信したメールデータは、タグを含んだマークアップ言語で記述されている。受信したメールデータを、電子辞書装置１が備えている電子メールソフトが整形し表示した表示画面Ｗ５００の一例が図２５（ｂ）である。ここでは、メール見出語Ｓ５００「すぷりった」が選択され、特別表示が施されている。そして、ＣＰＵ１０は、「すぷりった」が見出語として、百科事典ＤＢ４０２の見出語として記憶されているか否かを検索する（ステップＨ１８）。ここで、「すぷりった」と同一の見出語が記憶されていない場合には（ステップＨ１８；Ｎｏ）、メール見出語「すぷりった」と、メール見出語「すぷりった」に対応する説明情報「…ＡＤＳＬ等の回線において…」とを百科事典ＤＢ４０２に追記する（ステップＨ２０）。また、百科事典ＤＢ４０２に追記した日を、更新日として併せて記憶する（ステップＨ２２）。
【０１３５】
図２５（ｃ）は、見出語「すぷりった」の説明情報を表示した場合の表示画面Ｗ５００の一例を示した図である。このように、百科事典ＤＢ４０２に追記した見出語及び説明情報も、表示することが可能である。
【０１３６】
図２６（ａ）は、受信したメールデータを示すメールデータＤ５００を示した図である。受信したメールデータを、電子辞書装置１が備えている電子メールソフトが整形し表示した表示画面Ｗ５００の一例が図２６（ｂ）である。ここでは、メール見出語Ｓ５０２「さいたま」が選択され、特別表示が施されている。そして、ＣＰＵ１０は、「さいたま」が見出語として、百科事典ＤＢ４０２に記憶されているか否かを検索する（ステップＨ１８）。この場合、見出語「さいたま」が百科事典ＤＢ４０２に記憶されていることから（ステップＨ１８；Ｙｅｓ）、メール見出語「さいたま」と、タグ「＜人口＞６９２万７千人＜／人口＞」を抽出し、更新情報テーブル４０４に記憶する（ステップＨ２６）。
【０１３７】
図２６（ｃ）は、見出語「さいたま」の説明情報を表示した場合の表示画面Ｗ５００の一例を示した図である。このように、百科事典ＤＢ４０２に記憶された説明情報を表示する際に、更新情報テーブル４０４に記憶された更新情報に基づいて、説明情報を更新表示している。
【０１３８】
このように第５の実施の形態によれば、電子メールで受信したデータに含まれるメール見出語を選択することにより、新たな見出語を追記することが出来たり、既存の見出語の更新情報を記憶したいすることが出来る。
【０１３９】
〔変形例〕
上述した実施の形態では、電子辞典、電子事典などを含む電子辞書装置を適用例として説明したが、本発明の音声出力装置は、このような製品に限定されるものではなく、携帯電話、パソコン、電子時計、ＰＤＡ（Personal Digital Assistants）などの電子機器全般に適用可能である。
【０１４０】
また、上述の実施の形態においては、電子辞書装置に備えられた通信手段が直接サーバからデータを受信するものとして説明したが、これに限られるわけではない。例えば、サーバとパーソナルコンピュータとが接続され、パーソナルコンピュータに一度データがダウンロードされる。そして、パーソナルコンピュータと、電子辞書装置とが接続されると、更新情報等がパーソナルコンピュータから、電子辞書装置にダウンロードされるとしてもよい。この場合、電子辞書装置には、インターネット等に直接接続する為の通信機器は不用となり、電子辞書装置をより簡易に構成することが出来る。
【０１４１】
また、上述の実施の形態においては、ＣＰＵ１０は、選択見出語に対応する説明情報を表示し、選択見出語に対応する更新情報が記憶されている場合には、更新情報に基づいて更新表示することとして説明したが、これに限られる訳ではない。例えば、ＣＰＵ１０は、選択見出語に対応する説明情報を一度表示バッファに表示データとして記憶する。そして、選択見出語に対応する更新情報が記憶されている場合には、ＣＰＵ１０は、更新情報に基づいて更新バッファに記憶されている表示データを更新記憶する。そして、ＣＰＵ１０は、当該表示データを表示部６０に表示する。この場合、選択見出語に対応する更新前の説明情報が表示部６０に表示されずに、更新後の説明情報が直接表示部６０に表示されることとなる。さらに、更新情報は、更新情報テーブル４０４に記憶されることとして説明したが、百科事典ＤＢ４０２に記憶されている説明情報が直接更新記憶されることとしても良い。
【符号の説明】
【０１４２】
１ 電子辞書装置
３ ディスプレイ
５ 入力キー
７ 通信装置
１０ ＣＰＵ
２０、２２、２４、２６、２８ ＲＯＭ
２０２ 第１辞書検索プログラム
２０４ 辞書更新プログラム
２２０ 更新先登録プログラム
２４０ 第２辞書検索プログラム
２４２ 追加登録プログラム
２６０ 第３辞書検索プログラム
２６２ 履歴検索プログラム
２８０ メール登録プログラム
３０、３２、３４、３６、３８ ＲＡＭ
３０２ ＨＰデータ格納領域
３２０、３４０ アドレス格納領域
３６０ 履歴格納領域
３８０ メールデータ格納領域
４０、４４ ＥＥＰＲＯＭ
４０２ 百科事典ＤＢ
４０４ 更新情報テーブル
４４０ 追加情報テーブル
５０ 入力部
６０ 表示部
７０ 通信部
１０００ 更新サーバ
１０１０ ＨＰデータ
１０２０ ＨＰ更新日
２０００ インターネット
【図１】
2010009625.tif 000003
【図２】
2010009625.tif 000004
【図３】
2010009625.tif 000005
【図４】
2010009625.tif 000006
【図５】
2010009625.tif 000007
【図６】
2010009625.tif 000008
【図７】
2010009625.tif 000009
【図８】
2010009625.tif 000010
【図９】
2010009625.tif 000011
【図１０】
2010009625.tif 000012
【図１１】
2010009625.tif 000013
【図１２】
2010009625.tif 000014
【図１３】
2010009625.tif 000015
【図１４】
2010009625.tif 000016
【図１５】
2010009625.tif 000017
【図１６】
2010009625.tif 000018
【図１７】
2010009625.tif 000019
【図１８】
2010009625.tif 000020
【図１９】
2010009625.tif 000021
【図２０】
2010009625.tif 000022
【図２１】
2010009625.tif 000023
【図２２】
2010009625.tif 000024
【図２３】
2010009625.tif 000025
【図２４】
2010009625.tif 000026
【図２５】
2010009625.tif 000027
【図２６】
2010009625.tif 000028